(57)【要約】【課題】見苦しくい格好する必要がなく歯磨きを行った後の状態を確実に確認することができ、更に、内側の臼歯部分の歯磨きの状態を確認することができるモニタ機能を具えた歯磨き器を提供する。【解決手段】  主に機体を設置し、機体内には回路板及び貯水ボックスを設置し、回路板はリード線を接続し機体外に伸び出し、機体は外側に水パイプを接続し、水パイプは貯水ボックスに接続し、機体外側にはモニタを設置し、モニタと回路板は接続し、機体のリード線及び水パイプと歯磨き器は接続し、しかも機体のリード線はカメラのレンズを接続し、こうして、使用者は歯磨き器により歯の洗浄を行うことができ、さらにカメラのレンズを利用し歯を撮影し、機体のモニタにより歯の画像を映し出し、歯の状態をチェックすることができる。【選択図】  図１
0003106232.tif 000002
【実用新案登録請求の範囲】
【請求項１】
主に機体と歯磨き器とを具え、
前記機体内には回路板及び貯水ボックスを設置し、該回路板にはリード線を接続し、該リード線は該機体外に伸び出し、該機体外側には水パイプを接続し、該水パイプは貯水ボックスに接続し、該機体外側にはモニタを設置し、該モニタと該回路板は接続し、
前記歯磨き器は機体の前記リード線及び前記水パイプを接続し、該歯磨き器上にはカメラのレンズを設置し、
使用者は該歯磨き器により歯磨きを行い、該カメラのレンズを利用し歯を撮影し、該機体のモニタにより歯の画像を表示し、歯の清潔度をチェックすることができることを特徴とするモニタ機能を具えた歯磨き器。
【請求項２】
主に機体と歯磨き器とカメラのレンズとを具え、
前記機体内には回路板及び貯水ボックスを設置し、該回路板にはリード線を接続し、該リード線は該機体外に伸び出し、該機体外側には水パイプを接続し、該水パイプは該貯水ボックスに接続し、該機体外側においてモニタを設置し、該モニタと該回路板は接続し、
前記歯磨き器は該機体の前記リード線及び前記水パイプと接続し、
前記カメラのレンズは該機体の回路板と該リード線により接続することを特徴とするモニタ機能を具えた歯磨き器。
【考案の詳細な説明】
【技術分野】
【０００１】
本考案は一種のモニタ機能を具えた歯磨き器に関する。
【背景技術】
【０００２】
従来より、普通人は口腔内の清潔を維持するために、朝晩歯ブラシで歯を磨き、また普段何かを食べた後には水(或いはうがい薬)でうがいをするか、或いはデンタルフロス、つま楊枝などで歯をきれいにする。
上記方法は口腔内の清潔をある程度は達成することができるが、歯磨き時に歯ブラシを持つ角度、歯磨き方向の錯誤、或いは施力の不適当により、特に口腔内部に位置する臼歯、歯と歯の間隙及び歯の根元、歯茎部分はしばしば磨き残しがあったり、歯と歯茎を傷つけることもある。
現在市販されている一種のジェット水流歯磨き器は水流を利用し、歯に残留する食物の汚れを洗い流すもや、歯に残留する食物の汚れを吸い込んで排出する(例えば、特許文献１)のであるが、使用者が口腔内部の清潔状況を確認しようとすれば、通常は鏡の前で大きな口を開けて口腔内を確認しなければならず、極めて見苦しくまた不便である。しかも、内側の歯(特に臼歯部分)をはっきりと見ることはできない。
【特許文献１】特開平１１−１１３６３７号公報
【考案の開示】
【考案が解決しようとする課題】
【０００３】
公知のジェット水流歯磨き器構造には以下の欠点があった。すなわち、使用者が口腔内部の清潔度を確認しようとすれば、通常は鏡の前で大きな口を開けて口腔内を確認しなければならず、極めて見苦しくまた不便である。しかも、鏡では角度に制限があり、内側の歯(特に臼歯部分)をはっきりと見ることはできない。
本考案は上記構造の問題点を解決したもので、見苦しくい格好する必要がなく歯磨きを行った後の状態を確実に確認することができ、更に、内側の臼歯部分の歯磨きの状態を確認することができるモニタ機能を具えた歯磨き器を提供するものである。
【課題を解決するための手段】
【０００４】
上記課題を解決するため、請求項１の考案は、主に機体と歯磨き器とを具え、前記機体内には回路板及び貯水ボックスを設置し、該回路板にはリード線を接続し、該リード線は該機体外に伸び出し、該機体外側には水パイプを接続し、該水パイプは貯水ボックスに接続し、該機体外側にはモニタを設置し、該モニタと該回路板は接続し、前記歯磨き器は機体の前記リード線及び前記水パイプを接続し、該歯磨き器上にはカメラのレンズを設置し、使用者は該歯磨き器により歯磨きを行い、該カメラのレンズを利用し歯を撮影し、該機体のモニタにより歯の画像を表示し、歯の清潔度をチェックすることができることを特徴とするモニタ機能を具えた歯磨き器である。
請求項２の考案は、主に機体と歯磨き器とカメラのレンズとを具え、前記機体内には回路板及び貯水ボックスを設置し、該回路板にはリード線を接続し、該リード線は該機体外に伸び出し、該機体外側には水パイプを接続し、該水パイプは該貯水ボックスに接続し、該機体外側においてモニタを設置し、該モニタと該回路板は接続し、前記歯磨き器は該機体の前記リード線及び前記水パイプと接続し、前記カメラのレンズは該機体の回路板と該リード線により接続することを特徴とするモニタ機能を具えた歯磨き器である。
すなわち、本発明は、機体を設置し、機体内には回路板及び貯水ボックスを設置し、回路板はリード線を接続し機体外に伸び出し、機体は外側に水パイプを接続し、水パイプは貯水ボックスに接続し、機体外側にはモニタを設置し、モニタと回路板は接続し、機体のリード線及び水パイプと歯磨き器は接続し、しかも機体のリード線はカメラのレンズを接続し、こうして、使用者は歯磨き器により歯の洗浄を行うことができ、さらにカメラのレンズを利用し歯を撮影し、機体のモニタにより歯の画像を映し出し、歯の状態をチェックすることができるモニタ機能を具えた歯磨き器である。
【考案の効果】
【０００５】
本考案によれば、使用者は歯磨き器を用い歯磨きを行った後、カメラのレンズを利用し歯を撮影し、機体のモニタにより歯の画像を表示することができるため、歯磨き後の歯の清浄度をチェックすることができる。特に、見苦しくい格好する必要がなく歯磨きを行った後の状態を確実に確認することができ、更に、内側の臼歯部分の歯磨きの状態を確認することができる。
【考案を実施するための最良の形態】
【０００６】
本考案の好適な実施例を図面に沿って説明するが、図１、２、３に示すように、本考案の実施例は、機体1と歯磨き器2から構成されている。
該機体1内には回路板10及び貯水ボックス11を設置し、該回路板10はリード線12を接続し、該リード線12は該機体1外に伸び出す。該機体1外側には水パイプ13を接続し、該水パイプ13は該貯水ボックス11に接続する。該機体1外側にはモニタ14を設置し、該モニタ14は該回路板10と接続する。該機体1の貯水ボックス11上方には蓋15を設置する。
該歯磨き器2は該機体1のリード線12及び水パイプ13と接続し、該歯磨き器2上にはカメラのレンズ20及び切換スイッチ21を設置する。該歯磨き器2上において水流式ジェットパイプ22(図１参照)或いは歯ブラシ23(図２参照)を設置することができ、切換スイッチ21で操作することができる。
る。
【０００７】
上記構造において、使用者は該歯磨き器2により歯磨きを行った後、カメラ及びモニタ14の電源を入れ、該カメラのレンズ20を利用し歯を撮影し、該機体1のモニタ14により歯の画像T(図３参照)を表示することができる。こうして歯磨き後の歯の清浄度をチェックすることができる。
本実施例は、鏡等ではなく、カメラのレンズを利用し歯を撮影し、機体のモニタにより歯の画像を表示するようにしたため、見苦しくい格好しないでも歯磨きを行った後の状態を確実に確認することができ、特に、口内の臼歯部分の歯磨きの状態を確認することができ、歯磨き後の歯の清浄度を確実にチェックすることができる。
【０００８】
また、本考案の別の実施例では、図４に示すように、機体1内に回路板10及び貯水ボックス11を設置する。該回路板10はリード線12を接続し、該リード線12は該機体1外に伸び出す。該機体1外側には水パイプ13を接続し、該水パイプ13は該貯水ボックス11に接続する。該機体1外側にはモニタ14を設置し、該モニタ14は該回路板10と接続し、該機体1の貯水ボックス11上方には蓋15を設置する。
該歯磨き器2は該機体1のリード線12及び水パイプ13と接続し、該歯磨き器2には切換スイッチ21を設置する。該歯磨き器2上には水流式ジェットパイプ22或いは歯ブラシ23を設置する。またカメラのレンズ3を設置し、該機体1の回路板10とリード線12'により接続される。こうして、前記実施例と同様の作用が得られ、歯の清潔度をチェック可能なモニタ作用を具えた歯磨き器を構成する。  
なお、本考案の特徴を損なうものでなければ、実施例に限定されるものでないことは勿論である。
【図面の簡単な説明】
【０００９】
【図１】本考案の実施例の構造立体図(一)である。
【図２】本考案の実施例の構造立体図(二)である。
【図３】本考案の実施例の使用状態参考図である。
【図４】本考案の別の実施例の構造立体図である。
【符号の説明】
【００１０】
1   機体
1０  回路板
1１  貯水ボックス
1２  リード線
1２' リード線
1３ 水パイプ 
1４ モニタ
1５ 蓋         
２   歯磨き器
２０  カメラのレンズ 
２１  切換スイッチ
２２  ジェットパイプ 
２３  ブラシ
３   カメラのレンズ
Ｔ   歯の画像
【図１】
0003106232.tif 000003
【図２】
0003106232.tif 000004
【図３】
0003106232.tif 000005
【図４】
0003106232.tif 000006